(57)【要約】【課題】木球プール内の木球を用いて遊戯や学習を行う際に、遊戯用具や学習用具を木球プールの中に持ち込む作業、及び、木球を木球プールの内外に運搬する作業を不要とする、木球プールを提供する。【解決手段】木球プール１は、複数の壁板部材１１・１１・・・を連結部材１５・１５・・・により環状に連結して構成した枠体１０と、枠体１０の内部に収容された多数の木球Ｓと、を備え、一又は複数の壁板部材１１の上面には、一個又は複数個の木球Ｓを用いて遊戯又は学習を行うことを可能とする第一機能部材２０、第二機能部材３０、及び、第三機能部材４０が固定される。【選択図】図１
2019208986.tif 000002
【特許請求の範囲】
【請求項１】
環状に構成された枠体と、前記枠体の内部に収容された多数の木球と、を備える木球プールであって、
前記枠体の上部には、一個又は複数個の前記木球を用いて遊戯又は学習を行うことを可能とする機能部材が固定される、木球プール。
【請求項２】
前記枠体は、複数の壁板部材を連結部材により環状に連結して構成され、
前記機能部材は、一又は複数の前記壁板部材の上部に、前記壁板部材ごとに固定される、請求項１に記載の木球プール。
【請求項３】
前記機能部材は、前記壁板部材の上面に形成された固定孔を介して着脱可能に構成される、請求項２に記載の木球プール。
【請求項４】
前記壁板部材の上面は、前記固定孔を介して椅子部材が着脱可能に構成される、請求項３に記載の木球プール。
【請求項５】
前記機能部材は、使用後の前記木球が前記枠体の内部に落下するように構成される、請求項１から請求項４の何れか１項に記載の木球プール。
【請求項６】
前記機能部材は、該機能部材の表面上に固定したスロープの上面を前記木球が転動可能に構成される、請求項１から請求項５の何れか１項に記載の木球プール。
【請求項７】
前記機能部材は、該機能部材の表面上に固定した複数のペグの間を前記木球が落下可能に構成される、請求項１から請求項５の何れか１項に記載の木球プール。
【請求項８】
前記機能部材は、該機能部材の表面上に固定した枠部の上に複数個の前記木球を静止して並べることを可能に構成される、請求項１から請求項５の何れか１項に記載の木球プール。
【発明の詳細な説明】
【技術分野】
【０００１】
本発明は、幼児が遊戯等に用いる木球プールに関する。
【背景技術】
【０００２】
従来、幼児が遊戯等に用いる木球プールが提案されている（例えば、特許文献１を参照）。特許文献１には、環状の木製枠体を構成して、木製枠体の中に多数の小さな木球を山積みし、ボールプールとして幼児を遊ばせることのできる木球プールが記載されている。
【先行技術文献】
【特許文献】
【０００３】
【特許文献１】実用新案登録第３２０６８４８号公報
【発明の概要】
【発明が解決しようとする課題】
【０００４】
前記の特許文献１に記載の木球プールによれば、多数の木球が使用されているため、これらの木球を転動させたり、落下させたり、並べたりすることによって幼児が遊戯・学習を行うことができる。しかし、木球プールの中には多数の木球が存在するため、別の遊戯用具や学習用具を木球プールの中に持ち込んで適切に配置することは困難であった。一方、別の遊戯用具や学習用具を木球プールの外に配置した場合、木球を木球プールの外に持ち出したり、使用後の木球を木球プールに戻したりする作業が煩雑になっていた。
【０００５】
本発明は以上の如き状況に鑑みてなされたものであり、本発明が解決しようとする課題は、木球プール内の木球を用いて遊戯や学習を行う際に、遊戯用具や学習用具を木球プールの中に持ち込む作業、及び、木球を木球プールの内外に運搬する作業を不要とする、木球プールを提供することである。
【課題を解決するための手段】
【０００６】
以下では、上記課題を解決するための手段を説明する。
【０００７】
本発明に係る木球プールは、環状に構成された枠体と、前記枠体の内部に収容された多数の木球と、を備え、前記枠体の上部には、一個又は複数個の前記木球を用いて遊戯又は学習を行うことを可能とする機能部材が固定される。
【発明の効果】
【０００８】
本発明に係る木球プールによれば、木球プール内の木球を用いて遊戯や学習を行う際に、遊戯用具や学習用具を木球プールの中に持ち込む作業、及び、木球を木球プールの内外に運搬する作業が不要となる、という効果を奏する。
【図面の簡単な説明】
【０００９】
【図１】本実施形態に係る木球プールを示す斜視図。
【図２】木球プールを構成する枠体を示す斜視図。
【図３】枠体の連結構成を示す図。
【図４】第一機能部材を示す斜視図。
【図５】（ａ）は第一機能部材を示す正面図、（ｂ）は図５（ａ）中のＡ−Ａ線断面図。
【図６】第二機能部材を示す斜視図。
【図７】（ａ）は第二機能部材を示す正面図、（ｂ）は図７（ａ）中のＢ−Ｂ線断面図。
【図８】第三機能部材を示す斜視図。
【図９】（ａ）は第三機能部材を示す正面図、（ｂ）は図９（ａ）中のＣ−Ｃ線断面図。
【図１０】椅子部材の枠体への組付構成を示す斜視図。
【発明を実施するための形態】
【００１０】
以下では図１から図１０を用いて、本発明の一実施形態に係る木球プール１について説明する。本実施形態における木球プール１を構成する各部材は、ヒノキ等の木材を組み合わせて構成されている。なお、木球プール１の素材は木材に限定されず、樹脂等の他の素材を用いて構成することも可能である。
【００１１】
図１に示す如く、本実施形態に係る木球プール１は、枠体１０の内部に多数の木球Ｓを収容して構成されている。木球プール１においては枠体１０の内部に、多数の木球Ｓと複数の楕円木球Ｅとが混在するように構成されている。以下、「木球Ｓ」は「混在する楕円木球Ｅを含んだ状態」であるものとして記載する。図１に示す如く、枠体１０の上面には、後述する第一機能部材２０、第二機能部材３０、第三機能部材４０、及び、椅子部材５１が組付けられている。
【００１２】
枠体１０は、複数の壁板部材１１・１１・・・を連結部材１５・１５・・・により環状に連結して構成される。本実施形態において、枠体１０は図２に示す如く、隣接する八個の壁板部材１１の上下を連結部材１５で連結することにより枠体１０を構成している。なお、壁板部材１１の個数は本実施形態に限定されるものではなく、環状に連結される構成であれば他の個数としても差し支えない。但し、必要となる木球Ｓの個数や使用可能な人数の観点からは、六個から十個の壁板部材１１で枠体１０を構成することが好ましい。
【００１３】
図２及び図３に示す如く、壁板部材１１は壁板１２、上枠部材１３Ｕ、下枠部材１３Ｄ、及び、二本の柱部材１４・１４が組み合わされている。具体的には、壁板部材１１の本体を構成する壁板１２に対し、上側に上枠部材１３Ｕ、下側に下枠部材１３Ｄ、左右の側方に柱部材１４・１４が組付けられて、壁板部材１１が構成されている。なお、壁板部材１１を一体的に構成することも可能である。
【００１４】
図３に示す如く、壁板１２は上端に上側挿入部１２ｕ、下端に下側挿入部１２ｄ、左右の両端に側方挿入部１２ｓ・１２ｓが形成された板部材である。壁板１２の上部及び下部には左右方向に長手方向を有する長孔１２ｗ・１２ｗが開口されている。長孔１２ｗの開口幅は木球Ｓの直径よりも小さくなるように構成されている。なお、一部又は全ての壁板１２に長孔１２ｗを形成しない構成とすることもできる。また、一部又は全ての壁板１２に三個以上の長孔１２ｗを開口したり、多数の小さな円孔を開口したりすることも可能である。
【００１５】
図３に示す如く、上枠部材１３Ｕは左右に長手方向を有し、壁板１２の上側に組付けられる枠部材である。上枠部材１３Ｕの下面には図示しない挿入溝が形成され、壁板１２の上側挿入部１２ｕが挿入可能とされる。上枠部材１３Ｕの左右両端部には上枠部材１３Ｕを上下方向に貫通する挿通孔１３ａ・１３ａが開口されている。また、上枠部材１３Ｕには上枠部材１３Ｕを上下方向に貫通する四個の固定孔１３ｈが開口されている。
【００１６】
図３に示す如く、下枠部材１３Ｄは上枠部材１３Ｕと同様に左右に長手方向を有し、壁板１２の下側に組付けられる枠部材である。下枠部材１３Ｄの左右両端部には下枠部材１３Ｄを上下方向に貫通する挿通孔１３ａ・１３ａが開口されている。下枠部材１３Ｄの上面には挿入溝１３ｂが形成され、壁板１２の下側挿入部１２ｄが挿入可能とされる。
【００１７】
図３に示す如く、柱部材１４は上下に長手方向を有し、壁板１２の両側方に組付けられる棒状部材である。柱部材１４の上端には上側挿入棒１４ｕが突出して形成される。また、柱部材１４の下端には下側挿入棒１４ｄが突出して形成される。柱部材１４の側面には挿入溝１４ａが形成され、壁板１２の側方挿入部１２ｓが挿入可能とされる。
【００１８】
壁板部材１１を構成する際には、図３に示す如く、柱部材１４・１４の挿入溝１４ａ・１４ａに壁板１２の側方挿入部１２ｓ・１２ｓを挿入する。そして、下枠部材１３Ｄの挿入溝１３ｂに壁板１２の下側挿入部１２ｄを挿入し、同時に下枠部材１３Ｄの挿通孔１３ａ・１３ａに柱部材１４・１４の下側挿入棒１４ｄ・１４ｄを挿入する。さらに、上枠部材１３Ｕの挿入溝に壁板１２の上側挿入部１２ｕを挿入し、同時に上枠部材１３Ｕの挿通孔１３ａ・１３ａに柱部材１４・１４の上側挿入棒１４ｕ・１４ｕを挿入する。これにより、壁板１２、上枠部材１３Ｕ、下枠部材１３Ｄ、及び、二本の柱部材１４・１４が組み合わされて、壁板部材１１が構成される。
【００１９】
連結部材１５は二個の挿入孔１５ａ・１５ａが開口された部材である。連結部材１５の挿入孔１５ａ・１５ａには、隣り合う壁板部材１１・１１における柱部材１４の上側挿入棒１４ｕと下側挿入棒１４ｄとが挿入される。これにより、隣り合う壁板部材１１・１１が連結部材１５・１５によって、互いのなす角度が所定の範囲内で（例えば、１００度から１８０度の範囲内で）自在に連結される。図２に示す如く、全ての壁板部材１１・１１・・・が連結部材１５・１５・・・により連結されることにより、環状の枠体１０が構成される。この際、隣り合う壁板部材１１・１１の間隔（柱部材１４・１４の間隔）は木球Ｓの直径よりも小さくなるように構成されている。
【００２０】
なお、連結部材１５を隣接する何れか一方の壁板部材１１と一体的に構成し、壁板部材１１・１１を一軸で結合することも可能である。例えば、上下の連結部材１５を、一方の側の下枠部材１３Ｄ及び上枠部材１３Ｕと一体的に構成することにより、壁板部材１１・１１の間を一本の回転軸で連結する構成とすることも可能である。
【００２１】
図１に示す如く、本実施形態に係る木球プール１において、枠体１０（本実施形態においては壁板部材１１）の上部には第一機能部材２０、第二機能部材３０、及び、第三機能部材４０が固定されている。第一〜第三機能部材２０〜４０は、一個又は複数個の木球Ｓを用いて遊戯又は学習を行うことを可能とする部材である。
【００２２】
なお、本実施形態における木球プール１は三個の機能部材が隣り合う壁板部材１１・１１・１１に連続して設けられているが、木球プール１に設ける機能部材の数は二個以下でも四個以上でも差し支えなく、それぞれを設ける壁板部材１１の箇所についても使用者の任意に選択することができる。但し、幼児が木球プール１に出入りしやすいように、少なくとも二〜三個の壁板部材１１には機能部材を設けない構成とすることが好ましい。
【００２３】
また、一つの木球プール１に同じ種類の機能部材を複数個設ける構成とすることも可能である。さらに、機能部材を連結部材１５のみに固定する構成や、壁板部材１１と連結部材１５との両方に固定する構成を採用することもできる。
【００２４】
第一〜第三機能部材２０〜４０は、表面形状等を除いては概ね共通に構成されている。即ち、図４、図６、及び図８に示す如く、第一〜第三機能部材２０〜４０は、上枠部材１３Ｕに固定孔１３ｈを介して着脱可能に構成される、枠付きの板状部材として構成されている。具体的には図４から図９に示す如く、第一〜第三機能部材２０〜４０には、下面に四個の鬼目ナットＮが組み込まれている。そして、下方から固定孔１３ｈを貫通したボルトＢが鬼目ナットＮと螺合することにより、第一〜第三機能部材２０〜４０が壁板部材１１に固定される。より詳細には、第一〜第三機能部材２０〜４０が連結された上枠部材１３Ｕを用いて壁板部材１１を構成することにより、第一〜第三機能部材２０〜４０が壁板部材１１に固定される。
【００２５】
図４及び図５に示す如く、第一機能部材２０は、表面２０ｐ上に固定したスロープ２２・２２・２２の上面を木球Ｓが転動可能に構成される。詳細には、表面２０ｐの上部に板状の投入部２１がやや右下がりの傾斜をつけて設けられ、投入部２１の右端部には落下孔２１ａが開口される。投入部２１の下には、三個のスロープ２２・２２・２２が順に設けられる。最も下のスロープ２２の下方には、手前側（木球プール１の内側）に向けて傾斜する案内板２３が設けられている。
【００２６】
上記の如く構成された第一機能部材２０において、幼児は木球Ｓを使って遊戯することができる。具体的には、幼児が木球Ｓを投入部２１の上面に載置すると、木球Ｓは落下孔２１ａまで転がって最も上のスロープ２２の上面に落下する。そして、木球Ｓはスロープ２２・２２・２２の上面に当たって音を出しながら順に転動し、案内板２３の上に落ちた後は木球プール１の内部に落下する。このように、第一機能部材２０において、使用後の木球Ｓは枠体１０の内部に落下するように構成されている。
【００２７】
図６及び図７に示す如く、第二機能部材３０は、木球Ｓが表面３０ｐ上に固定した複数のペグ３２・３２・・・の間を落下可能に構成される。詳細には、表面３０ｐの上部に板状の投入部３１が設けられ、投入部３１には四箇所に落下孔３１ａが開口される。投入部３１の下には、多数のペグ３２・３２・・・が設けられる。これらのペグ３２・３２・・・は表面３０ｐに開口された穴に挿入されている。ペグ３２・３２・・・をこの穴に対して抜き差しすることにより、使用者がペグ３２・３２・・・の配置箇所及び本数を適宜変更することができるように構成されている。。表面３０ｐの下部には、ゲート孔３３ａが開口されたゲート３３が設けられる。表面３０ｐの下端には、手前側（木球プール１の内側）に向けて傾斜する案内板３４が設けられている。
【００２８】
上記の如く構成された第二機能部材３０において、幼児は木球Ｓを使って遊戯することができる。具体的には、幼児が木球Ｓを投入部３１の落下孔３１ａに投入すると、木球Ｓは複数のペグ３２・３２・・・に当たって音を出しながら、ペグ３２・３２・・・の間を不規則に落下する。そして、木球Ｓは案内板３４の上に落ちた後、ゲート３３のゲート孔３３ａを通って木球プール１の内部に落下する。このように、第二機能部材３０においても、使用後の木球Ｓは枠体１０の内部に落下するように構成されている。
【００２９】
図８及び図９に示す如く、第三機能部材４０は、表面４０ｐ上に固定した枠部４１・４１・・の上に複数個の木球Ｓを静止して並べることを可能に構成される。詳細には、表面４０ｐの上下方向中央部分に三個の枠部４１が上下に並べて設けられている。枠部４１の表面には木球Ｓの横幅に合わせて、木球Ｓの個数に対応した数字が「１」から「１０」まで記載されている。即ち、一個の枠部４１は木球Ｓを１０個まで載置可能に構成されている。
【００３０】
表面４０ｐの上部には数式板ＮＰを横向きに配置可能な配置棚４２が設けられる。数式板ＮＰはそれぞれの表面に「０」から「９」までの数字や「＋」「−」「＝」「？」などの演算記号等が記載された板部材である。本実施形態において、数式板ＮＰは数セットずつ備えつけられている。また、表面４０ｐの下部には使用しない数式板ＮＰを縦向きに収納可能な収納棚４３が設けられる。
【００３１】
上記の如く構成された第三機能部材４０において、幼児は木球Ｓを用いて計算等の学習を行うことができる。具体的には、幼児（又は保護者等の周囲の大人）が数式板ＮＰを配置棚４２の上に載置して、それに応じて木球Ｓを枠部４１・４１・・に載置するのである。これにより、幼児が木球Ｓの個数と、数式板ＮＰに記載された数字と、の関係や、足し算・引き算等の計算を学習することができるのである。
【００３２】
本実施形態に係る木球プール１は、壁板部材１１における上枠部材１３Ｕに、固定孔１３ｈを介して椅子部材５１を着脱可能に構成される。具体的には図１及び図１０に示す如く、平面視で楕円形状に形成された椅子部材５１には、下面に四個の鬼目ナットＮが組み込まれている。そして、下方から固定孔１３ｈを貫通したボルトＢが鬼目ナットＮと螺合することにより、椅子部材５１が壁板部材１１に固定される。また、図１０に示す如く椅子部材５１の下面には、椅子部材５１の下面から床面までの長さの支持柱５２・５２が組付けられている。椅子部材５１は、壁板部材１１と、支持柱５２・５２と、によって安定して支持される。
【００３３】
このように、木球プール１の壁板部材１１に椅子部材５１を組付けることにより、保護者等の周囲の大人が、木球プール１を使用している幼児を見守ったり、共に遊んだりする際に椅子部材５１に腰かけることができる。また、本実施形態においては、椅子部材５１の固定に際し、機能部材の固定時に用いる固定孔１３ｈを共用する構成としている。これにより、椅子部材５１を固定するために別途他の構成を設ける必要がないため、木球プール１の製造コストの増加を防止することができる。
【００３４】
上記の如く、本実施形態に係る木球プール１によれば、第一〜第三機能部材２０〜４０が枠体１０における壁板部材１１に固定されているため、別途遊戯用具や学習用具を木球プール１の中に持ち込む必要がない。また、第一〜第三機能部材２０〜４０は木球プール１と一体化されているため、木球Ｓを木球プール１の内外に運搬する必要もない。即ち、本実施形態に係る木球プール１によれば、遊戯用具や学習用具を木球プール１の中に持ち込む作業、及び、木球Ｓを木球プール１の内外に運搬する作業が不要となるのである。
【００３５】
また、本実施形態に係る木球プール１においては、第一〜第三機能部材２０〜４０のそれぞれが、壁板部材１１ごとに対応して固定されている。このため、第一〜第三機能部材２０〜４０を枠体１０に固定した状態でも、壁板部材１１を移動させて枠体１０の形状を変更したり、壁板部材１１の数を増減させて枠体１０の大きさを変更したりすることが容易となる。
【００３６】
また、第一〜第三機能部材２０〜４０は、壁板部材１１における上枠部材１３Ｕに形成された固定孔１３ｈを介して着脱可能に構成される。このため、木球プール１の使用状態や、対象となる幼児の年齢に応じて機能部材を壁板部材１１に取付け・取外しを行うことにより、木球プール１に設ける機能部材の種類や個数を適宜変更することができる。
【００３７】
また、本実施形態に係る木球プール１において、第一・第二機能部材２０・３０は、使用後の木球Ｓが枠体１０の内部に落下するように構成される。これにより、幼児が木球Ｓを用いて繰り返し遊戯する際に、木球Ｓが他の場所に転がっていくことがないため、連続して遊戯することができる。また、幼児が遊戯し終えた場合でも、木球Ｓが木球プール１の周囲に散乱することなく、枠体１０の内部に収容されているため、周囲の大人が木球Ｓを片付ける手間を省くことができる。
【符号の説明】
【００３８】
１        木球プール             １０        枠体               
１１        壁板部材               １２        壁板               
１２ｕ      上側挿入部             １２ｄ      下側挿入部         
１２ｓ      側方挿入部             １２ｗ      長孔               
１３Ｕ      上枠部材               １３Ｄ      下枠部材           
１３ａ      挿通孔                 １３ｂ      挿入溝             
１３ｈ      固定孔                 １４        柱部材             
１４ａ      挿入溝                 １４ｕ      上側挿入棒         
１４ｄ      下側挿入棒             １５        連結部材           
１５ａ      挿入孔                 ２０        第一機能部材       
２０ｐ      表面                   ２１        投入部             
２１ａ      落下孔                 ２２        スロープ           
２３        案内板                 ２４        開口部             
３０        第二機能部材           ３０ｐ      表面               
３１        投入部                 ３１ａ      落下孔             
３２        ペグ                   ３３        ゲート             
３３ａ      ゲート孔               ３４        案内板             
４０        第三機能部材           ４０ｐ      表面               
４１        枠部                   ４２        配置棚             
４３        収納棚                 ５１        椅子部材           
５２        支持柱                   Ｓ        木球               
Ｅ        楕円木球                 Ｂ        ボルト             
Ｎ        鬼目ナット             ＮＰ        数式板             
【図１】
2019208986.tif 000003
【図２】
2019208986.tif 000004
【図３】
2019208986.tif 000005
【図４】
2019208986.tif 000006
【図５】
2019208986.tif 000007
【図６】
2019208986.tif 000008
【図７】
2019208986.tif 000009
【図８】
2019208986.tif 000010
【図９】
2019208986.tif 000011
【図１０】
2019208986.tif 000012